(57)【要約】【課題】コイルとコイルに対する供給電流や放出電流が流れる複数の電気素子とが実装された回路基板上で、実装面積を極力大きくせずに放熱を実現する。【解決手段】回路ユニット３の回路基板３１の実装面３１ａに実装された、チョークコイル３２の前後段のスイッチングレギュレータ３３やショットキーバリアダイオード３４が、それぞれ分散して内部に収容、固定される２つの枠体５１，５２間を、各枠体５１，５２を介してスイッチングレギュレータ３３やショットキーバリアダイオード３４からそれぞれ伝達される熱を周辺雰囲気に放出する放熱フィン部５３によって接続し、これら２つの枠体５１，５２と放熱フィン部５３とにより画成される凹部５４内に、実装面３１ａ上のチョークコイル３２が配置されるように構成した。【選択図】図４
2007311697.tif 000002
【特許請求の範囲】
【請求項１】
コイルと、該コイルに対する供給電流又は前記コイルからの放出電流が流れる複数の電気素子とが、回路基板に実装された回路ユニットに用いられる放熱ブロックであって、
両端面及び前面が開放され内部に前記電気素子が収容、固定される２つの枠体と、
前記２つの枠体間に配置されて該各枠体間を接続し、前記各枠体を介して前記各電気素子からそれぞれ伝達される熱を周辺雰囲気に放出する放熱フィン部と、
前記２つの枠体と前記放熱フィン部とにより画成され該各枠体の一方の端面側に開放された凹部とを有しており、
前記各枠体の一方の端面に前記回路基板の実装面を当て付けた状態で該実装面上の前記コイルが前記凹部内に配置されるように構成されている、
ことを特徴とする回路ユニット用放熱ブロック。
【請求項２】
前記各枠体の閉塞された背面に該枠体の内側から前記各電気部品が固定されており、前記各枠体の外側において該各枠体の前記背面間が前記放熱フィン部によって接続されている請求項１記載の回路ユニット用放熱ブロック。
【請求項３】
前記回路基板の実装面は矩形に形成されていて、前記各枠体には、該各枠体の両端面の間隔方向に延在する２つのピン圧入溝が形成されており、前記各枠体の前記２つのピン圧入溝のうち少なくとも一方は、前記各枠体の一方の端面において、該一方の端面に前記実装面を当て付けた状態で該実装面の各ピン孔にそれぞれ対向するように構成されていて、前記各枠体の一方の前記端面側から前記各ピン圧入溝にそれぞれ圧入された４つの取付ピン、又は、前記各枠体の一方の前記ピン圧入溝に該各枠体の両方の前記端面側からそれぞれ圧入された４つの取付ピンによって、前記回路ユニットの取付対象に取付、固定される請求項１又は２記載の回路ユニット用放熱ブロック。
【請求項４】
前記コイルはチョークコイルであり、前記複数の電気素子は、前記チョークコイルに対する電力供給及び該チョークコイルからの電力放出を切り換えるスイッチングレギュレータと、前記チョークコイルからの放出電力の電流方向を規定するダイオードとを含んでおり、前記回路ユニットは、前記回路基板に実装された前記チョークコイル、前記スイッチングレギュレータ、及び、前記ダイオードを含んで構成されて、入出力電圧間の変圧を行うチョッパレギュレータ方式のＤＣ−ＤＣコンバータである請求項１、２又は３記載の回路ユニット用放熱ブロック。
【発明の詳細な説明】
【技術分野】
【０００１】
本発明は、コイルと、このコイルに対する供給電流又はこのコイルからの放出電流が流れる複数の電気素子とが、回路基板に実装された回路ユニットに用いられる放熱ブロックに関する。
【背景技術】
【０００２】
例えば、パワートランジスタやダイオード等の多大な発熱を伴う電気素子を接続して電源回路等の電気回路を構成する場合には、回路の動作性能を正常に維持するために、放熱を効率よく行うことが必要不可欠となる。
【０００３】
そこで従来は、回路を構成する電気素子や回路基板を覆う絶縁用樹脂のブロック周面にヒートシンクを取り付けたり（例えば特許文献１）、回路基板への半田付けの代わりに電気素子の相互間を溶接により電気的に接続するために用いる銅又はアルミニウム製の導体トレーをヒートシンク代わりに利用する（例えば特許文献２）ことが提案されている。
【特許文献１】特開昭６２−１２１９３号公報
【特許文献２】特開２００２−２８９７７３号公報
【発明の開示】
【発明が解決しようとする課題】
【０００４】
例えば特許文献１に記載された発明のように、電気素子としてパワートランジスタやその周辺回路素子と共にコイル（トランス）が回路基板に実装される場合、これらに加えてヒートシンクを実装するためのスペースを回路基板の実装面に新たに確保するとなると、モジュールの軽薄短小化という要請に逆行してしまい好ましくない。
【０００５】
本発明は前記事情に鑑みなされたもので、本発明の目的は、コイルと、このコイルに対する供給電流又はこのコイルからの放出電流が流れる複数の電気素子とが、回路基板に実装された回路ユニットにおいて、回路基板の実装面積を極力大きくせずに回路ユニットの放熱を実現することのできる回路ユニット用放熱ブロックを提供することにある。
【課題を解決するための手段】
【０００６】
前記目的を達成するため請求項１に記載した本発明の回路ユニット用放熱ブロックは、コイルと、該コイルに対する供給電流又は前記コイルからの放出電流が流れる複数の電気素子とが、回路基板に実装された回路ユニットに用いられる放熱ブロックであって、両端面及び前面が開放され内部に前記電気素子が収容、固定される２つの枠体と、前記２つの枠体間に配置されて該各枠体間を接続し、前記各枠体を介して前記各電気素子からそれぞれ伝達される熱を周辺雰囲気に放出する放熱フィン部と、前記２つの枠体と前記放熱フィン部とにより画成され該各枠体の一方の端面側に開放された凹部とを有しており、前記各枠体の一方の端面に前記回路基板の実装面を当て付けた状態で該実装面上の前記コイルが前記凹部内に配置されるように構成されていることを特徴とする。
【０００７】
また、請求項２に記載した本発明の回路ユニット用放熱ブロックは、請求項１に記載した本発明の回路ユニット用放熱ブロックにおいて、前記各枠体の閉塞された背面に該枠体の内側から前記各電気部品が固定されており、前記各枠体の外側において該各枠体の前記背面間が前記放熱フィン部によって接続されている構成とした。
【０００８】
さらに、請求項３に記載した本発明の回路ユニット用放熱ブロックは、請求項１又は２に記載した本発明の回路ユニット用放熱ブロックにおいて、前記回路基板の実装面が矩形に形成されていて、前記各枠体に、該各枠体の両端面の間隔方向に延在する２つのピン圧入溝が形成されており、前記各枠体の前記２つのピン圧入溝のうち少なくとも一方が、前記各枠体の一方の端面において、該一方の端面に前記実装面を当て付けた状態で該実装面の各ピン孔にそれぞれ対向するように構成されていて、前記各枠体の一方の前記端面側から前記各ピン圧入溝にそれぞれ圧入された４つの取付ピン、又は、前記各枠体の一方の前記ピン圧入溝に該各枠体の両方の前記端面側からそれぞれ圧入された４つの取付ピンによって、前記回路ユニットの取付対象に取付、固定される構成とした。
【０００９】
尚、請求項４に記載した本発明の回路ユニット用放熱ブロックのように、請求項１、２又は３に記載した本発明の回路ユニット用放熱ブロックにおける前記コイルがチョークコイルであり、前記複数の電気素子が、前記チョークコイルに対する電力供給及び該チョークコイルからの電力放出を切り換えるスイッチングレギュレータと、前記チョークコイルからの放出電力の電流方向を規定するダイオードとを含んでおり、前記回路ユニットが、前記回路基板に実装された前記チョークコイル、前記スイッチングレギュレータ、及び、前記ダイオードを含んで構成されて、入出力電圧間の変圧を行うチョッパレギュレータ方式のＤＣ−ＤＣコンバータであるものとすることができる。
【発明の効果】
【００１０】
請求項１に記載した本発明の回路ユニット用放熱ブロックによれば、回路ユニットの回路基板の実装面上に必要とする回路ユニット用放熱ブロックの実装スペースは、各枠体の一方の端面を配置するためのスペースのみであり、しかも、各枠体の内部に収容、固定される電気素子の実装部分の周囲に、それぞれの枠体の肉厚分のスペースを確保するだけで済み、コイルの上方に配置される放熱フィン部の実装スペースは、回路基板の実装面上に確保する必要がないので、コイルを含んだ電気素子を有する回路ユニットにおける放熱を、回路基板の実装面積を極力抑えて実現することができる。
【００１１】
しかも、各枠体内に収容、固定された各電気素子からの熱が、各枠体間を接続する共通の放熱フィン部から周辺雰囲気中に放出されるので、各枠体毎に個別の放熱フィン部を設ける必要をなくして、必要な放熱動作をコンパクトな全体形状で実現することができる。
【００１２】
また、請求項２に記載した本発明の回路ユニット用放熱ブロックによれば、請求項１に記載した本発明の回路ユニット用放熱ブロックにおいて、内側に電気素子が固定されている枠体の閉塞された背面に枠体の外側から放熱フィン部が接続されていることから、電気素子から放出される熱が枠体の背面から放熱フィン部に効率よく伝達されて周辺雰囲気中に放出されるようにし、放熱効率を高めることができる。
【００１３】
さらに、請求項３に記載した本発明の回路ユニット用放熱ブロックによれば、請求項１又は２に記載した本発明の回路ユニット用放熱ブロックにおいて、各枠体の一方の端面に回路基板の実装面を当て付けた状態で実装面の四隅にそれぞれ対向するピン圧入溝が、各枠体に、その両端面の間隔方向に延在して２つずつ形成されていることから、各枠体の一方の端面側から各ピン圧入溝にそれぞれ圧入された４つの取付ピンと、各枠体の一方のピン圧入溝に各枠体の両方の端面側からそれぞれ圧入された４つの取付ピンと、のとちらかの４つの取付ピンによって、回路基板の実装面を上下方向に向けた姿勢と、矩形をなす回路基板の実装面を鉛直方向に向けた２つの姿勢とのうち任意の姿勢で、放熱ブロックを回路ユニットの取付対象に空きスペースを有効に活用して取付、固定することができる。
【００１４】
尚、請求項４に記載した本発明の回路ユニット用放熱ブロックのように、チョークコイルに対する電力供給とチョークコイルからの電力放出とをスイッチングレギュレータで切り換えて、チョークコイルからの放出電力の電流方向をダイオードにより規定することで、入出力電圧間の変圧を行うチョッパレギュレータ方式のＤＣ−ＤＣコンバータにおける、スイッチングレギュレータやダイオードの放熱を、請求項１、２又は３に記載した本発明の回路ユニット用放熱ブロックによって行うことで、チョッパレギュレータに不可欠のチョークコイルの実装スペースを回路基板上に確保する必要があるＤＣ−ＤＣコンバータユニットを、放熱機能付でありながら回路基板面積の小さいコンパクトな構成として、電源回路回りの省スペース化を図ることができる。
【発明を実施するための最良の形態】
【００１５】
以下、本発明の回路ユニット用放熱ブロックの実施形態について、図面を参照して説明する。
【００１６】
図１は本発明に係る回路ユニット用放熱ブロックを採用したチョッパレギュレータ方式のＤＣ−ＤＣコンバータユニットの一実施形態を示す斜視図であり、図１中引用符号１で示す本実施形態のＤＣ−ＤＣコンバータユニットは、回路ユニット３と放熱ブロック５とを有している。
【００１７】
図２（ａ）乃至（ｄ）は図１の回路ユニット３の正面図、平面図、及び、左右の側面図であり、図２（ａ）に示すように、前記回路ユニット３は、回路基板３１、チョークコイル３２（請求項中のコイルに相当）、スイッチングレギュレータ３３（請求項中の電気素子に相当）、ショットキーバリアダイオード３４（請求項中の電気素子、ダイオードに相当）、チップ抵抗Ｒ１，Ｒ２、チップコンデンサＣ１、入力ピンＶｉｎ、出力ピンＶｏｕｔ、接地ピンＧＮＤ１，ＧＮＤ２、及び、制御信号入力ピンＯＮ／ＯＦＦとを有している。
【００１８】
前記回路基板３１は、図２（ｂ）に示すように、平面視矩形状の実装面３１ａを有していて、この実装面３１ａ上の長手方向ほぼ中央に、実装面３１ａ又は回路基板３１の裏面への半田付けによって、チョークコイル３２及びチップ抵抗Ｒ１が実装されており、さらに、チョークコイル３２を挟んだ実装面３１ａの長手方向両脇の部分に分散して、スイッチングレギュレータ３３及びチップ抵抗Ｒ２と、ショットキーバリアダイオード３４及びチップコンデンサＣ１とが、回路基板３１の実装面３１ａ又は裏面への半田付けによって、それぞれ周囲の実装面３１ａ部分に余白を残して実装されている。
【００１９】
また、実装面３１ａの長手方向と直交する幅方向におけるチョークコイル３２の脇の部分には、図２（ｃ），（ｄ）に示すように、回路基板３１の裏面に貫通して、図２（ｂ）に示すように、入力ピンＶｉｎ、出力ピンＶｏｕｔ、接地ピンＧＮＤ１，ＧＮＤ２、及び、ＤＣ−ＤＣコンバータユニット１の出力のオンオフを制御する信号の入力ピンＯＮ／ＯＦＦが設けられている。
【００２０】
さらに、回路基板３１の実装面３１ａの四隅のうち、入力ピンＶｉｎ、出力ピンＶｏｕｔ、接地ピンＧＮＤ１，ＧＮＤ２、及び、入力ピンＯＮ／ＯＦＦ側の長辺の両端には、放熱ブロック５の後述する取付ピン７（図３参照）を避けるための切欠部３１ｂ，３１ｃが形成されており、残る実装面３１ａのもう一方の長辺の両端には、取付ピン７を挿通させるためのピン孔３１ｄ，３１ｅが穿設されている。
【００２１】
前記回路ユニット３では、入力ピンＯＮ／ＯＦＦからオン信号が入力されている間、スイッチングレギュレータ３３のオン期間中にチョークコイル３２に供給される直流電力を、スイッチングレギュレータ３３のオフ期間中にチョークコイル３２からショットキーバリアダイオード３４を介して放出させることで、入力ピンＶｉｎから入力されてスイッチングレギュレータ３３のオンオフ比やチップ抵抗Ｒ１，Ｒ２の抵抗値に応じて調整された入力電力の電圧が、所要の電圧に変圧されて出力ピンＶｏｕｔから出力される。
【００２２】
ちなみに、スイッチングレギュレータ３３がオフした瞬間にチョークコイル３２からショットキーバリアダイオード３４に流れようとする突入電流は、チップコンデンサＣ１の存在により緩和される。
【００２３】
図３（ａ）乃至（ｄ）は図１の放熱ブロック５の正面図、平面図、及び、左右の側面図であり、前記放熱ブロック５は、アルミやアルミ合金等の熱伝導性に優れた金属材料の押出成型加工によって形成されていて、図３（ｂ）に示すように、前記回路ユニット３の回路基板３１の実装面３１ａとほぼ同一の外形で平面視矩形状に形成されており、左右の枠体５１，５２と、これら左右の枠体５１，５２の上部寄り部分どうしを接続する放熱フィン部５３とを有していて、これらにより、図３（ａ）に示すように、左右の枠体５１，５２の下端面側に開放された凹部５４を画成している。
【００２４】
前記左側の枠体５１は、図３（ｂ）に示すように、前面及び上下各端面が開放されており、枠体５１の閉塞された背面５１ａには、図３（ｃ）に示すように、前記スイッチングレギュレータ３３の取付用ねじ孔５１ｂが、枠体５１の内側から穿設されている。
【００２５】
同様に、前記右側の枠体５２も、図３（ｂ）に示すように、前面及び上下各端面が開放されており、枠体５２の閉塞された背面５２ａには、図３（ｄ）に示すように、前記ショットキーバリアダイオード３４の取付用ねじ孔５２ｂが、枠体５２の内側から穿設されている。
【００２６】
そして、図３（ｂ）に示すように、左右の各枠体５１，５２は、各枠体５１，５２の上下両端間に亘ってその両側面の外表面に突設された複数のリブ５１ｃ，５２ｃを有しており、さらに、これら複数のリブ５１ｃ，５２ｃよりも前面寄りの両側面の外表面箇所に、各枠体５１，５２の上下両端面間に亘って、断面略Ｃ字状のピン圧入溝５１ｄ，５１ｅ，５２ｄ，５２ｅを有している。
【００２７】
これらのピン圧入溝５１ｄ，５１ｅ，５２ｄ，５２ｅは、左右の各枠体５１，５２の下端面（請求項中の一方の端面に相当）を、図２（ｂ）に示す、回路基板３１の実装面３１ａの、スイッチングレギュレータ３３及びチップ抵抗Ｒ２の周囲や、ショットキーバリアダイオード３４及びチップコンデンサＣ１の周囲の部分にそれぞれ当て付けて、回路基板３１の実装面３１ａの外形に放熱ブロック５の外形を合わせた状態で、回路基板３１の四隅の切欠部３１ｂ，３１ｃやピン孔３１ｄ，３１ｅに対向するように構成されている。
【００２８】
前記放熱フィン部５３は、左右の枠体５１，５２の背面５１ａ，５２ａどうしを接続する主片５３ａと、この主片５３ａの両側面からそれぞれ複数本ずつ突設され各枠体５１，５２の上下両端間に亘って各々延在する放熱用フィン５３ｂ，５３ｂ，…，５３ｂとを有している。
【００２９】
図４（ａ）乃至（ｄ）は図３（ａ）乃至（ｄ）の放熱ブロック５を図２（ａ）乃至（ｄ）の回路ユニット３に取り付けた状態を示す正面図、平面図、及び、左右の側面図であり、図４（ａ），（ｂ）に示すように、左右の各枠体５１，５２の下端面を回路基板３１の実装面３１ａに当て付けて、回路基板３１の実装面３１ａの外形に放熱ブロック５の外形を合わせると、図４（ａ）に示すように、放熱ブロック５の凹部５４内に回路ユニット３のチョークコイル３２が収容されると共に、図４（ｃ），（ｄ）にそれぞれ示すように、左側の枠体５１の内側にスイッチングレギュレータ３３及びチップ抵抗Ｒ２が収容され、かつ、右側の枠体５２の内側にショットキーバリアダイオード３４及びチップコンデンサＣ１が収容される。
【００３０】
ここで、図４（ｃ）に示すように、スイッチングレギュレータ３３を、収容先の左側の枠体５１の背面５１ａに、取付用ねじ孔５１ｂ（図３（ｃ）参照）へのねじ止めにより取付、固定すると共に、図４（ｄ）に示すように、ショットキーバリアダイオード３４を、収容先の右側の枠体５２の背面５２ａに、取付用ねじ孔５２ｂ（図３（ｄ）参照）へのねじ止めにより取付、固定することで、これらスイッチングレギュレータ３３やショットキーバリアダイオード３４を介して、放熱ブロック５が回路ユニット３に取付固定される。
【００３１】
また、図４（ａ），（ｃ），（ｄ）に示すように、左右の枠体５１，５２の下端面側から各ピン圧入溝５１ｄ，５２ｄにそれぞれ圧入した取付ピン７を、回路基板３１の実装面３１ａから裏面に跨って各切欠部３１ｂ，３１ｃの部分に位置させると共に、各ピン圧入溝５１ｅ，５２ｅにそれぞれ圧入した取付ピン７を、実装面３１ａ側から回路基板３１のピン孔３１ｄ，３１ｅに挿入し、このピン孔３１ｄ，３１ｅに挿入した２つの取付ピン７，７を回路基板３１の実装面３１ａ又は裏面に半田付け等することで、この取付ピン７を介して放熱ブロック５が回路ユニット３に取付固定される。
【００３２】
以上のようにして放熱ブロック５を回路ユニット３に取付固定して構成されたＤＣ−ＤＣコンバータユニット１は、回路基板３１の各切欠部３１ｂ，３１ｃの脇を通った取付ピン７や、ピン孔３１ｄ，３１ｅを貫通し実装面３１ａ側から裏面側に突出した取付ピン７の先端側部分を用いて、ＤＣ−ＤＣコンバータユニット１の取付対象（図示せず）に取付固定される。
【００３３】
尚、入力ピンＶｉｎ、出力ピンＶｏｕｔ、接地ピンＧＮＤ１，ＧＮＤ２、及び、入力ピンＯＮ／ＯＦＦには、それぞれの接続対象となる回路や素子、回路基板等（いずれも図示せず）が、半田付けにより接続される。
【００３４】
このように構成された本実施形態のＤＣ−ＤＣコンバータユニット１の放熱ブロック５によれば、回路ユニット３の回路基板３１の実装面３１ａに必要とする放熱ブロック５の実装スペースは、各枠体５１，５２の下端面を配置するためのスペースのみであり、しかも、スイッチングレギュレータ３３やショットキーバリアダイオード３４の実装部分の周囲に、各枠体５１，５２の肉厚分の実装スペースを確保するだけで済み、チョークコイル３２の上方に配置される放熱ブロック５の放熱フィン部５３の実装スペースは、回路基板３１の実装面３１ａ上に確保する必要がない。
【００３５】
このため、チョークコイル３２やスイッチングレギュレータ３３、チップ抵抗Ｒ２、ショットキーバリアダイオード３４、チップコンデンサＣ１を有する回路ユニット３における放熱を、回路基板３１の実装面積を極力抑えて実現することができる。
【００３６】
しかも、左右の各枠体５１，５２内に収容、固定されたスイッチングレギュレータ３３やショットキーバリアダイオード３４からの熱が、各枠体５１，５２間を接続する共通の放熱フィン部５３から周辺雰囲気中に放出されるので、各枠体５１，５２毎に個別の放熱フィン部を設ける必要をなくして、必要な放熱動作をコンパクトな全体形状で実現することができる。
【００３７】
尚、放熱ブロック５の放熱フィン部５３の主片５３ａによって接続するのを、例えば、左右の各枠体５１，５２の側面どうしとしてもよいが、本実施形態のように各枠体５１，５２の背面５１ａ，５２ａどうしを放熱フィン部５３の主片５３ａによって接続する構成とすれば、取付用ねじ孔５１ｂ，５２ｂへのねじ止めにより各枠体５１，５２の内側から背面５１ａ，５２ａに取付、固定されたスイッチングレギュレータ３３やショットキーバリアダイオード３４からの熱が、効率よく放熱フィン部５３に伝わるようにして、放熱フィン部５３から周辺雰囲気への放熱効率を高めることができるので、有利である。
【００３８】
また、取付ピン７を圧入するピン圧入溝５１ｄ，５１ｅ，５２ｄ，５２ｅは、各枠体５１，５２の上下両端面に亘って形成されていなくてもよいが、本実施形態のＤＣ−ＤＣコンバータユニット１Ａのように、各枠体５１，５２の上下両端面に亘ってピン圧入溝５１ｄ，５１ｅ，５２ｄ，５２ｅが放熱ブロック５に形成されていれば、４つのピン圧入溝５１ｄ，５１ｅ，５２ｄ，５２ｅのどれに、どの方向から取付ピン７を圧入するかによって、ＤＣ−ＤＣコンバータユニット１の姿勢を任意に変え、取付対象の空きスペースの形状に合わせてＤＣ−ＤＣコンバータユニット１を効率よく省スペースで取付、固定することができるので、有利である。
【００３９】
例えば、上述した実施形態では、回路基板３１を水平方向にレイアウトする場合の構成について説明したが、例えば図５に斜視図で示す、本発明の他の実施形態に係るＤＣ−ＤＣコンバータユニット１Ａのように、回路基板３１の一方の長辺側の２つのピン孔３１ｂ，３１ｃに対向する各枠体５１，５２のピン圧入溝５１ｄ，５２ｄに、各枠体５１，５２の上下両端面側から取付ピン７をそれぞれ圧入すれば、各枠体５１，５２の上端面側から圧入した２つの取付ピン７，７の先端側部分や、各枠体５１，５２の下端面側から圧入した２つの取付ピン７，７の、対向する回路基板３１の２つのピン孔３１ｂ，３１ｃを貫通した先端側部分を、入力ピンＶｉｎ、出力ピンＶｏｕｔ、接地ピンＧＮＤ１，ＧＮＤ２、及び、入力ピンＯＮ／ＯＦＦと共に折り曲げることで、各枠体５１，５２の一方の側面を下にして回路基板３１を鉛直方向にレイアウトすることもできる。
【００４０】
そして、本発明は、上述した各実施形態のようなＤＣ−ＤＣコンバータユニット１，１Ａにおいて用いられる放熱ブロック５に限らず、コイルと、このコイルに対する供給電流又はこのコイルからの放出電流が流れる複数の電気素子とが、回路基板に実装された回路ユニットに用いられる放熱ブロックの全般に、広く適用可能であることは、言うまでもない。
【図面の簡単な説明】
【００４１】
【図１】本発明に係る回路ユニット用放熱ブロックを採用したチョッパレギュレータ方式のＤＣ−ＤＣコンバータユニットの一実施形態を示す斜視図である。
【図２】（ａ）乃至（ｄ）は図１の回路ユニットの正面図、平面図、及び、左右の側面図である。
【図３】（ａ）乃至（ｄ）は図１の放熱ブロックの正面図、平面図、及び、左右の側面図である。
【図４】（ａ）乃至（ｄ）は図３（ａ）乃至（ｄ）の放熱ブロック５を図２（ａ）乃至（ｄ）の回路ユニット３に取り付けた状態を示す正面図、平面図、及び、左右の側面図である。
【図５】本発明に係る回路ユニット用放熱ブロックを採用したチョッパレギュレータ方式のＤＣ−ＤＣコンバータユニットの他の実施形態を示す斜視図である。
【符号の説明】
【００４２】
１，１Ａ  ＤＣ−ＤＣコンバータユニット
３  回路ユニット
３１  回路基板
３１ａ  実装面
３１ｂ，３１ｃ，３１ｄ，３１ｅ  ピン孔
３２  チョークコイル（コイル）
３３  スイッチングレギュレータ（電気素子）
３４  ショットキーバリアダイオード（電気素子、ダイオード）
５  放熱ブロック
５１，５２  枠体
５１ａ，５２ａ  背面
５１ｄ，５１ｅ，５２ｄ，５２ｅ  ピン圧入溝
５３  放熱フィン部
５４  凹部
７  取付ピン
【図１】
2007311697.tif 000003
【図２】
2007311697.tif 000004
【図３】
2007311697.tif 000005
【図４】
2007311697.tif 000006
【図５】
2007311697.tif 000007